(57)【特許請求の範囲】
【請求項１】
被検体の画像上に設定される撮像範囲又は撮像位置を示すＲＯＩの種類ごとに操作頻度が高い順に優先順位を定めたＲＯＩ優先情報を記憶するＲＯＩ優先情報記憶手段と、
表示部に表示された被検体の画像上にＲＯＩを描画するＲＯＩ描画手段と、
前記画像上で複数のＲＯＩが重ねて描画された位置を指定する操作を操作者から受け付けた場合に、前記ＲＯＩ優先情報記憶手段により記憶されたＲＯＩ優先情報に基づいて、当該複数のＲＯＩのうち優先順位が最も高いＲＯＩを操作対象として判定するＲＯＩ判定手段と、
前記操作対象として判定されたＲＯＩに対して操作者から指示された操作を実施する操作実施手段と
を備えたことを特徴とする磁気共鳴イメージング装置。
【請求項２】
前記ＲＯＩ描画手段は、複数のＲＯＩを重ねて描画する場合には、前記ＲＯＩ優先情報記憶手段により記憶されたＲＯＩ優先情報に基づいて、当該複数のＲＯＩのうち優先順位が最も高いＲＯＩを最も上に描画することを特徴とする請求項１に記載の磁気共鳴イメージング装置。
【請求項３】
前記ＲＯＩ優先情報記憶手段は、撮像シーケンスに対応付けて前記ＲＯＩ優先情報を記憶し、
前記ＲＯＩ描画手段は、前記ＲＯＩ優先情報のうち操作者により指定された撮像シーケンスに対応するＲＯＩ優先情報に基づいて、前記複数のＲＯＩを描画し、
前記ＲＯＩ判定手段は、前記ＲＯＩ優先情報のうち操作者により指定された撮像シーケンスに対応するＲＯＩ優先情報に基づいて、前記操作対象とするＲＯＩを判定する
ことを特徴とする請求項２に記載の磁気共鳴イメージング装置。
【請求項４】
前記ＲＯＩ優先情報記憶手段は、撮像部位にさらに対応付けて前記ＲＯＩ優先情報を記憶し、
前記ＲＯＩ描画手段は、前記ＲＯＩ優先情報のうち操作者により指定された撮像部位に対応するＲＯＩ優先情報に基づいて、前記複数のＲＯＩを描画し、
前記ＲＯＩ判定手段は、前記ＲＯＩ優先情報のうち操作者により指定された撮像部位に対応するＲＯＩ優先情報に基づいて、前記操作対象とするＲＯＩを判定する
ことを特徴とする請求項２又は３に記載の磁気共鳴イメージング装置。
【請求項５】
操作者により前記ＲＯＩごとに指定された優先順位に基づいて前記ＲＯＩ優先情報記憶手段に前記ＲＯＩ優先情報を登録する優先情報登録手段をさらに備えたことを特徴とする請求項１〜４のいずれか一つに記載の磁気共鳴イメージング装置。
【請求項６】
前記ＲＯＩ優先情報記憶手段は、操作者を識別する操作者情報にさらに対応付けて前記優先順位情報を記憶し、
前記ＲＯＩ描画手段は、前記ＲＯＩ優先情報のうち前記画像上で位置を指定する操作を行った操作者の操作者情報に対応する優先順位情報に基づいて、前記複数のＲＯＩを描画し、
前記ＲＯＩ判定手段は、前記ＲＯＩ優先情報のうち前記画像上で位置を指定する操作を行った操作者の操作者情報に対応するＲＯＩ優先情報に基づいて、前記操作対象とするＲＯＩを判定する
ことを特徴とする請求項１〜５のいずれか一つに記載の磁気共鳴イメージング装置。
【請求項７】
前記画像上に描出されたＲＯＩに対する操作を受け付けるための操作部の種類ごとに操作頻度が高い順に優先順位を定めた操作部優先情報を当該ＲＯＩの種類に対応付けて記憶する操作部優先情報記憶手段と、
前記画像上で前記ＲＯＩが描画された位置を指定する操作を操作者から受け付けた場合に、当該ＲＯＩに対する操作を受け付けるための操作部を描画する操作部描画手段と、
前記画像上で複数の操作部が重ねて描画された位置を指定する操作を操作者から受け付けた場合に、前記操作部優先情報記憶手段により記憶された操作部優先情報に基づいて、前記複数の操作部のうち優先順位が最も高い操作部を操作対象として判定する操作部判定手段とをさらに備え、
前記操作実施手段は、前記操作対象として判定された操作部により受け付けられた操作を前記ＲＯＩに対して実施することを特徴とする請求項１〜６のいずれか一つに記載の磁気共鳴イメージング装置。
【発明の詳細な説明】
【技術分野】
【０００１】
本発明は、磁気共鳴イメージング装置に関する。
【背景技術】
【０００２】
磁気共鳴イメージング（ＭＲＩ：Magnetic  Resonance  Imaging）装置は、磁気共鳴現象を利用して被検体内を撮像する装置である。具体的には、ＭＲＩ装置は、静磁場内に置かれた被検体に高周波磁場を印加し、その高周波磁場によって被検体から発せられる磁気共鳴信号を検出して画像を再構成する。
【０００３】
かかるＭＲＩ装置を用いた撮像では、例えば、操作者が表示部に表示された被検体の画像上でＲＯＩ（Region  Of  Interest）を設定することで撮像範囲や撮像位置が決定される。そして、複数の撮像範囲又は撮像位置が撮像される場合には、被検体の画像上に複数のＲＯＩが重ねて設定される場合もある。この場合には、例えば、ＭＲＩ装置は、被検体の画像上に複数のＲＯＩを重ねて描画する（例えば、特許文献１参照）。
【０００４】
さらに、ＭＲＩ装置は、例えば、画像上に描画したＲＯＩに対する操作を操作者から受け付けることで撮像範囲又は撮像位置を変更する。ここでいうＲＯＩに対する操作とは、ＲＯＩを選択する操作や回転する操作、移動する操作、ＲＯＩに含まれるスライス数を変更する操作、ＦＯＶ（Field  Of  View）を変更する操作などである。
【０００５】
ここで、ＭＲＩ装置は、画像上で複数のＲＯＩが重ねて描画された位置を指定する操作を操作者から受け付けた場合には、所定のルールにしたがって、複数のＲＯＩのうちのいずれかを操作対象として判定する。例えば、ＭＲＩ装置は、操作者によって最後に設定されたＲＯＩを操作対象として判定する。
【０００６】
図１３は、従来のＭＲＩ装置におけるＲＯＩの判定方法を説明するための図である。図１３に示す例は、３つのＲＯＩ３９ｓ、３９ｐ及び３９ｇが被検体の画像上に設定された場合を示している。例えば、ＲＯＩ３９ｓは、撮像領域を示すスキャンＲＯＩである。また、ＲＯＩ３９ｐは、プリサチュレーション用のパルスが印加される位置を示すプリサチュレーションＲＯＩである。また、ＲＯＩ３９ｇは、被検体Ｐの任意の位置に格子状のタグを付けるためにパルスが印加される位置を示すグリッドタグＲＯＩである。
【０００７】
ここで、例えば、各ＲＯＩは、操作者によりＲＯＩ３９ｓ、ＲＯＩ３９ｐ、ＲＯＩ３９ｇの順で設定されたとする。この場合、ＭＲＩ装置は、図１３に示すように、ＲＯＩ３９ｓ、ＲＯＩ３９ｐ、ＲＯＩ３９ｇの順で各ＲＯＩを重ねて描画する。そして、例えば、操作者によって図１３に示す位置３９ａが指定された場合には、ＭＲＩ装置は、操作者により最後に設定されたＲＯＩ３９ｇ、すなわちグリッドタグＲＯＩを操作対象として判定する。
【先行技術文献】
【特許文献】
【０００８】
【特許文献１】特開２００８−２８９８６２号公報
【発明の概要】
【発明が解決しようとする課題】
【０００９】
しかしながら、上述した従来のＲＯＩの判定方法では、操作者がＲＯＩに対する操作を容易に行うことができない場合があった。
【００１０】
例えば、図１３に示す例のように、スキャンＲＯＩ、プリサチュレーションＲＯＩ、グリッドタグＲＯＩがそれぞれ設定される場合には、一般的に、操作者の関心度は撮像領域を決めるためのスキャンＲＯＩに対するものが最も高い。そのため、スキャンＲＯＩに対しては、いったん設定された後にさらに操作が行われる可能性が最も高い。一方、グリッドタグＲＯＩは、空間を選択するためのものではないので、スキャンＲＯＩやプリサチュレーションＲＯＩに比べて操作者の関心度が低い。そのため、グリッドタグＲＯＩは、いったん設定された後にさらに操作が行われる可能性は低い。このように、ＲＯＩに対して操作が行われる可能性は、各ＲＯＩに対する操作者の関心度に応じて異なる。
【００１１】
しかし、従来のＲＯＩの判定方法では、所定のルールにしたがって操作対象とするＲＯＩが判定される。そのため、例えば、スキャンＲＯＩが他のＲＯＩより後に設定された場合に、操作者がスキャンＲＯＩを操作しようとして他のＲＯＩと重なっている位置を指定してしまうと、他のＲＯＩが操作対象として判定されてしまう。このことから、従来のＲＯＩ判定方法では、操作者が効率よくＲＯＩの操作を行うことができない場合があった。
【００１２】
本発明は、上記に鑑みてなされたものであって、操作者の関心度が高いＲＯＩを優先的に操作対象とすることで、操作者が容易にＲＯＩを操作することができるＭＲＩ装置を提供することを目的とする。
【課題を解決するための手段】
【００１３】
上述した課題を解決し、目的を達成するために、請求項１記載の本発明は、磁気共鳴イメージング装置が、被検体の画像上に設定される撮像範囲又は撮像位置を示すＲＯＩの種類ごとに操作頻度が高い順に優先順位を定めたＲＯＩ優先情報を記憶するＲＯＩ優先情報記憶手段と、表示部に表示された被検体の画像上にＲＯＩを描画するＲＯＩ描画手段と、前記画像上で複数のＲＯＩが重ねて描画された位置を指定する操作を操作者から受け付けた場合に、前記ＲＯＩ優先情報記憶手段により記憶されたＲＯＩ優先情報に基づいて、当該複数のＲＯＩのうち優先順位が最も高いＲＯＩを操作対象として判定するＲＯＩ判定手段と、前記操作対象として判定されたＲＯＩに対して操作者から指示された操作を実施する操作実施手段とを備えたことを特徴とする。
【発明の効果】
【００１４】
請求項１記載の本発明によれば、操作者の関心度が高いＲＯＩを優先的に操作対象とすることで、操作者が容易にＲＯＩを操作することができるという効果を奏する。
【図面の簡単な説明】
【００１５】
【図１】図１は、本実施例１に係るＭＲＩ装置の全体構成を示す図である。
【図２】図２は、本実施例１に係る計算機システムの構成を示す機能ブロック図である。
【図３】図３は、ＲＯＩ優先情報記憶部により記憶されるＲＯＩ優先情報の一例を示す図である。
【図４】図４は、本実施例１に係るＲＯＩの描画及び操作対象の判定の例を示す図（１）である。
【図５】図５は、本実施例１に係るＲＯＩの描画及び操作対象の判定の例を示す図（２）である。
【図６】図６は、本実施例１に係るＲＯＩの描画及び操作対象の判定の例を示す図（３）である。
【図７】図７は、本実施例１に係るＭＲＩ装置によるＲＯＩ判定の処理手順を示すフローチャートである。
【図８】図８は、本実施例２に係る計算機システムの構成を示す機能ブロック図である。
【図９】図９は、操作部優先情報記憶部により記憶される操作部優先情報の一例を示す図である。
【図１０】図１０は、本実施例２に係る操作部の描画及び操作対象の判定の例を示す図である。
【図１１】図１１は、同じ種類のＲＯＩの中で優先順位を設定する場合のＲＯＩ優先情報の一例を示す図である。
【図１２】図１２は、同じ種類のＲＯＩの中で優先順位を設定する場合のＲＯＩの判定の例を示す図である。
【図１３】図１３は、従来のＭＲＩ装置におけるＲＯＩの判定方法を説明するための図である。
【発明を実施するための形態】
【００１６】
以下に、本発明に係るＭＲＩ装置の実施例を図面に基づいて詳細に説明する。なお、以下に示す実施例により本発明が限定されるものではない。
【実施例１】
【００１７】
まず、本実施例１に係るＭＲＩ装置の全体構成について説明する。図１は、本実施例１に係るＭＲＩ装置１００の全体構成を示す図である。図１に示すように、このＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、シーケンス制御部１０及び計算機システム２０を備える。
【００１８】
静磁場磁石１は、中空の円筒形状に形成された磁石であり、内部の空間に一様な静磁場を発生する。この静磁場磁石１としては、例えば永久磁石、超伝導磁石等が使用される。
【００１９】
傾斜磁場コイル２は、中空の円筒形状に形成されたコイルであり、静磁場磁石１の内側に配置される。この傾斜磁場コイル２は、互いに直交するＸ，Ｙ，Ｚの各軸に対応する３つのコイルが組み合わされて形成されており、これら３つのコイルは、後述する傾斜磁場電源３から個別に電流供給を受けて、Ｘ，Ｙ，Ｚの各軸に沿って磁場強度が変化する傾斜磁場を発生させる。なお、Ｚ軸方向は、静磁場と同方向とする。傾斜磁場電源３は、傾斜磁場コイル２に電流を供給する。
【００２０】
ここで、傾斜磁場コイル２によって発生するＸ，Ｙ，Ｚ各軸の傾斜磁場は、例えば、スライス選択用傾斜磁場Ｇｓ、位相エンコード用傾斜磁場Ｇｅ及びリードアウト用傾斜磁場Ｇｒにそれぞれ対応する。スライス選択用傾斜磁場Ｇｓは、任意に撮像断面を決めるために利用される。位相エンコード用傾斜磁場Ｇｅは、空間的位置に応じて磁気共鳴信号の位相を変化させるために利用される。リードアウト用傾斜磁場Ｇｒは、空間的位置に応じて磁気共鳴信号の周波数を変化させるために利用される。
【００２１】
寝台４は、被検体Ｐが載置される天板４ａを備え、後述する寝台制御部５による制御のもと、被検体Ｐが載置された状態で天板４ａを傾斜磁場コイル２の空洞（撮像口）内へ挿入する。通常、この寝台４は、長手方向が静磁場磁石１の中心軸と平行になるように設置される。寝台制御部５は、制御部２６による制御のもと、寝台４を制御する装置であり、寝台４を駆動して、天板４ａを長手方向及び上下方向へ移動する。
【００２２】
送信ＲＦコイル６は、傾斜磁場コイル２の内側に配置され、送信部７から高周波パルスの供給を受けて高周波磁場を発生する。送信部７は、ラーモア周波数に対応する高周波パルスを送信ＲＦコイル６に送信する。
【００２３】
受信ＲＦコイル８は、傾斜磁場コイル２の内側に配置され、上記の高周波磁場の影響によって被検体Ｐから放射される磁気共鳴信号を受信する。この受信ＲＦコイル８は、磁気共鳴信号を受信すると、その磁気共鳴信号を受信部９へ出力する。
【００２４】
受信部９は、受信ＲＦコイル８から出力される磁気共鳴信号に基づいてｋ空間データを生成する。具体的には、この受信部９は、受信ＲＦコイル８から出力される磁気共鳴信号をデジタル変換することによってｋ空間データを生成する。このｋ空間データには、前述したスライス選択用傾斜磁場Ｇｓ、位相エンコード用傾斜磁場Ｇｅ及びリードアウト用傾斜磁場Ｇｒによって、ＰＥ（Phase  Encode）方向、ＲＯ（Read  Out）方向、ＳＥ（Slice  Encode）方向の空間周波数の情報が対応付けられている。そして、ｋ空間データを生成すると、受信部９は、そのｋ空間データをシーケンス制御部１０へ送信する。
【００２５】
シーケンス制御部１０は、計算機システム２０から送信されるシーケンス情報に基づいて、傾斜磁場電源３、送信部７及び受信部９を駆動することによって、被検体Ｐのスキャンを行う。ここで、シーケンス情報とは、傾斜磁場電源３が傾斜磁場コイル２に供給する電源の強さや電源を供給するタイミング、送信部７が送信ＲＦコイル６に送信するＲＦ信号の強さやＲＦ信号を送信するタイミング、受信部９が磁気共鳴信号を検出するタイミングなど、スキャンを行うための手順を定義した情報である。
【００２６】
なお、シーケンス制御部１０は、傾斜磁場電源３、送信部７及び受信部９を駆動して被検体Ｐをスキャンした結果、受信部９からｋ空間データが送信されると、そのｋ空間データを計算機システム２０へ転送する。
【００２７】
計算機システム２０は、ＭＲＩ装置１００の全体制御を行う。例えば、計算機システム２０は、上述した各部を駆動することで、データ収集や画像再構成などを行う。この計算機システム２０は、インタフェース部２１、画像再構成部２２、記憶部２３、入力部２４、表示部２５及び制御部２６を有する。
【００２８】
インタフェース部２１は、シーケンス制御部１０との間で授受される各種信号の入出力を制御する。例えば、このインタフェース部２１は、シーケンス制御部１０に対してシーケンス情報を送信し、シーケンス制御部１０からｋ空間データを受信する。ｋ空間データを受信すると、インタフェース部２１は、各ｋ空間データを被検体Ｐごとに記憶部２３に格納する。
【００２９】
画像再構成部２２は、記憶部２３によって記憶されたｋ空間データに対して、後処理、すなわちフーリエ変換等の再構成処理を施すことによって、被検体Ｐ内における所望核スピンのスペクトラムデータあるいは画像データを生成する。
【００３０】
記憶部２３は、インタフェース部２１によって受信されたｋ空間データと、画像再構成部２２によって生成されたスペクトラムデータや画像データなどを、被検体Ｐごとに記憶する。
【００３１】
入力部２４は、操作者からの各種指示や情報入力を受け付ける。この入力部２４としては、マウスやトラックボールなどのポインティングデバイス、モード切替スイッチ等の選択デバイス、あるいはキーボード等の入力デバイスを適宜に利用可能である。
【００３２】
表示部２５は、制御部２６による制御のもと、スペクトラムデータあるいは画像データ等の各種の情報を表示する。この表示部２５としては、液晶表示器などの表示デバイスを利用可能である。
【００３３】
制御部２６は、図示していないＣＰＵやメモリ等を有し、ＭＲＩ装置１００の全体制御を行う。具体的には、この制御部２６は、入力部２４を介して操作者から入力される撮像条件に基づいてシーケンス情報を生成し、生成したシーケンス情報をシーケンス制御部１０に送信することによってスキャンを制御したり、スキャンの結果としてシーケンス制御部１０から送られるｋ空間データに基づいて行われる画像の再構成を制御したりする。
【００３４】
以上、本実施例１に係るＭＲＩ装置１００の全体構成について説明した。このような構成のもと、本実施例１では、計算機システム２０が、被検体Ｐの画像上に設定される撮像範囲又は撮像位置を示すＲＯＩの種類ごとに操作頻度が高い順に優先順位を定めたＲＯＩ優先情報を記憶する。また、計算機システム２０は、表示部２５に表示された被検体Ｐの画像上にＲＯＩを描画する。また、計算機システム２０は、被検体Ｐの画像上で複数のＲＯＩが重ねて描画された位置を指定する操作を操作者から受け付けた場合に、ＲＯＩ優先情報に基づいて、複数のＲＯＩのうち優先順位が最も高いＲＯＩを操作対象として判定する。そして、計算機システム２０は、操作対象として判定されたＲＯＩに対して操作者から指示された操作を実施する。
【００３５】
すなわち、本実施例１では、複数のＲＯＩが重ねて描画されている位置が操作者によって指定された場合には、操作者によって操作される頻度が最も高いＲＯＩが優先的に操作対象として判定されるようにしている。したがって、本実施例１によれば、操作者の関心度が高いＲＯＩを優先的に操作対象とすることで、操作者が容易にＲＯＩを操作することができる。
【００３６】
まず、本実施例１に係る計算機システム２０の構成について説明する。図２は、本実施例１に係る計算機システム２０の構成を示す機能ブロック図である。図２に示すように、計算機システム２０は、前述したインタフェース部２１、記憶部２３、及び制御部２６を有する。
【００３７】
記憶部２３は、撮像条件記憶部２３ａとＲＯＩ優先情報記憶部２３ｂとを有する。
【００３８】
撮像条件記憶部２３ａは、操作者によって指定された撮像条件を記憶する。ここでいう撮像条件には、撮像シーケンスと撮像部位とが含まれる。撮像シーケンスとは、グリッドタギングやＭＲＳ（Magnetic  Resonance  Spectroscopy）など、撮像法の種類である。撮像部位は、頭部や心臓など、撮像の対象となる部位である。
【００３９】
グリッドタギングとは、タギング法と呼ばれる撮像法の一種である。タギング法とは、撮像スライス内の磁化を空間的に変調させるための選択的励起パルスを被検体に印加することによって、空間上の位置を示す低信号の標識（タグ）が付加された画像を生成する撮像法である。グリッドタギングでは、かかるタギング法において、格子状のタグが用いられる。
【００４０】
ＭＲＳとは、撮像された被検体Ｐの画像におけるボクセルごとの化学シフトの大きさを示すスペクトル画像を生成する撮像法である。かかるＭＲＳでは、データ収集領域の範囲を示すＭＲＳグリッドＲＯＩと、スペクトル画像を生成するボクセルの範囲を示すスキャンＲＯＩとがそれぞれ被検体Ｐの画像上に設定される。
【００４１】
ＲＯＩ優先情報記憶部２３ｂは、被検体Ｐの画像上に設定される撮像範囲又は撮像位置を示すＲＯＩの種類ごとに操作頻度が高い順に優先順位を定めたＲＯＩ優先情報を記憶する。図３は、ＲＯＩ優先情報記憶部２３ｂにより記憶されるＲＯＩ優先情報の一例を示す図である。
【００４２】
図３に示すように、ＲＯＩ優先情報記憶部２３ｂは、例えば、撮像シーケンス及び撮像部位に対応付けてＲＯＩ優先情報を記憶する。
【００４３】
「撮像シーケンス」は、撮像法の種類を示す情報である。例えば、図３に示すように、撮像シーケンスには、「Ｇｒｉｄ  Ｔａｇｇｉｎｇ（グリッドタギング）」、「ＭＲＳ」などが設定される。「撮像部位」は、撮像対象の部位を示す情報である。例えば、図３に示すように、撮像部位には、「心臓」、「頭部」などが設定される。
【００４４】
「ＲＯＩ優先情報」は、ＲＯＩの種類を示す情報とそのＲＯＩの優先順位とを対応付けた情報である。図３に示すように、例えば、ＲＯＩ優先情報には、「１：Ｓｃａｎ」、「２：Ｐｒｅｓａｔ」、「３：Ｇｒｉｄ  Ｔａｇ」などが設定される。
【００４５】
なお、図３において、「Ｓｃａｎ」は、撮像領域を示すスキャンＲＯＩを示している。また、「Ｐｒｅｓａｔ」は、プリサチュレーション用のパルスが印加される範囲を示すプリサチュレーションＲＯＩを示している。また、「Ｇｒｉｄ  Ｔａｇ」は、被検体Ｐの任意の位置に格子状のタグを付けるためにパルスが印加される位置を示すグリッドタグＲＯＩを示している。また、「Ｆｒｅｅｈａｎｄ  Ｔａｇ」は、被検体Ｐの任意の箇所にタグ付けするためにパルスが印加される位置を示すフリーハンドタグＲＯＩを示している。また、「Ｒａｄｉａｌ  Ｔａｇ」は、被検体Ｐに放射線状にタグ付けするためにパルスが印加される位置を示すラジアルタグＲＯＩを示している。また、「ＭＲＳ  Ｇｌｉｄ」は、ＭＲＳにおいてデータ収集領域の範囲を設定するためのＭＲＳグリッドＲＯＩである。
【００４６】
そして、図３において、例えば、「１：Ｓｃａｎ」は、スキャンＲＯＩの優先順位が１番目に高いことを示している。また、例えば、「２：Ｐｒｅｓａｔ」は、プリサチュレーションＲＯＩの優先順位が２番目に高いことを示している。また、例えば、「３：Ｇｒｉｄ  Ｔａｇ」は、グリッドタグＲＯＩの優先順位が３番目に高いことを示している。
【００４７】
すなわち、図３に示す例では、例えば、撮像シーケンスがグリッドタギングであり、撮像部位が心臓である場合には、スキャンＲＯＩの優先順位が最も高く、プリサチュレーションＲＯＩの優先順位が２番目に高く、グリッドタグＲＯＩの優先順位が最も低いことを示している。また、例えば、撮像シーケンスがＭＲＳであり、かつ撮像部位が頭部である場合には、スキャンＲＯＩの優先順位が最も高く、ＭＲＳグリッドＲＯＩの優先順位が２番目に高く、プリサチュレーションＲＯＩの優先順位が最も低いことを示している。
【００４８】
図２の説明にもどって、制御部２６は、ＲＯＩ優先情報登録部２６ａ、撮像条件受付部２６ｂ、ＲＯＩ描画部２６ｃ、操作対象ＲＯＩ判定部２６ｄ、ＲＯＩ操作実施部２６ｅ、及びシーケンス情報生成部２６ｆを有する。
【００４９】
ＲＯＩ優先情報登録部２６ａは、操作者によりＲＯＩごとに指定された優先順位に基づいて、ＲＯＩ優先情報記憶部２３ｂにＲＯＩ優先情報を登録する。このＲＯＩ優先情報登録部２６ａは、入力部２４を介して、撮像シーケンス及び撮像部位とともに、複数のＲＯＩの種類を示す情報と各ＲＯＩの優先順位とを受け付ける。そして、ＲＯＩ優先情報登録部２６ａは、受け付けた各ＲＯＩに関する情報をもとにＲＯＩ優先情報を生成し、生成したＲＯＩ優先情報を撮像シーケンス及び撮像部位に対応付けてＲＯＩ優先情報記憶部２３ｂに登録する。
【００５０】
撮像条件受付部２６ｂは、入力部２４を介して操作者から撮像条件の入力を受け付け、受け付けた撮像条件を撮像条件記憶部２３ａに格納する。この撮像条件受付部２６ｂは、撮像シーケンス及び撮像部位を含む情報を撮像条件として受け付け、受け付けた情報を撮像条件記憶部２３ａに格納する。
【００５１】
ＲＯＩ描画部２６ｃは、表示部２５に表示された被検体Ｐの画像上にＲＯＩを描画する。このＲＯＩ描画部２６ｃは、入力部２４を介して、表示部２５に表示された被検体Ｐの画像上でＲＯＩを設定する操作を操作者から受け付ける。そして、ＲＯＩ描画部２６ｃは、受け付けた操作に基づいて、被検体Ｐの画像上にＲＯＩを描画する。
【００５２】
なお、ＲＯＩ描画部２６ｃは、複数のＲＯＩを設定する操作を操作者から受け付ける場合もある。さらに、各ＲＯＩは重ねて設定される場合もある。そこで、ＲＯＩ描画部２６ｃは、複数のＲＯＩを重ねて描画する場合には、操作者により指定された撮像シーケンス及び撮像部位に対応するＲＯＩ優先情報に基づいて、複数のＲＯＩのうち優先順位が最も高いＲＯＩを最も上に描画する。
【００５３】
ここで、ＲＯＩ描画部２６ｃによる複数のＲＯＩの描画について、撮像シーケンス及び撮像部位ごとに例をあげて説明する。図４〜６は、本実施例１に係るＲＯＩの描画及び操作対象の判定の例を示す図である。なお、ここで説明する例では、図３に示したＲＯＩ優先情報がＲＯＩ優先情報記憶部２３ｂに記憶されていることとする。
【００５４】
例えば、撮像シーケンスがグリッドタギングであり、撮像部位が心臓であったとする。そして、操作者によって、スキャンＲＯＩ、プリサチュレーションＲＯＩ、及びグリッドタグＲＯＩの３つのＲＯＩが被検体Ｐの画像上に設定されたとする。
【００５５】
ここで、図３に示した例では、撮像シーケンスがグリッドタギングであり、撮像部位が心臓である場合には、スキャンＲＯＩの優先順位が最も高く、プリサチュレーションＲＯＩの優先順位が２番目に高く、グリッドタグＲＯＩの優先順位が最も低くなるようにＲＯＩ優先情報が設定されている。
【００５６】
したがって、この例の場合には、ＲＯＩ描画部２６ｃは、図４に示すように、スキャンＲＯＩ３３ｓを最も上に描出し、プリサチュレーションＲＯＩ３３ｐを上から２番目に描出し、グリッドタグＲＯＩ３３ｇを最も下に描出する。
【００５７】
また、例えば、撮像シーケンスがグリッドタギングであり、撮像部位が頭部であったとする。そして、操作者によって、スキャンＲＯＩ、プリサチュレーションＲＯＩ、グリッドタグＲＯＩ、ラジアルタグＲＯＩ、及びフリーハンドタグＲＯＩの５つのＲＯＩが被検体Ｐの画像上に設定されたとする。
【００５８】
ここで、図３に示した例では、撮像シーケンスがグリッドタギングであり、撮像部位が頭部である場合には、スキャンＲＯＩの優先順位が最も高く、フリーハンドタグＲＯＩの優先順位が２番目に高く、ラジアルタグＲＯＩの優先度が３番目に高く、プリサチュレーションＲＯＩの優先順位が４番目に高く、グリッドタグＲＯＩの優先順位が最も低くなるようにＲＯＩ優先情報が設定されている。
【００５９】
したがって、この例の場合には、ＲＯＩ描画部２６ｃは、図５に示すように、スキャンＲＯＩ３４ｓを最も上に描出し、フリーハンドタグＲＯＩ３４ｈを上から２番目に描出し、ラジアルタグＲＯＩ３４ｒを上から３番目に描出する。また、ＲＯＩ描画部２６ｃは、プリサチュレーションＲＯＩ３４ｐを上から４番目に描出し、グリッドタグＲＯＩ３４ｇを最も下に描出する。
【００６０】
また、例えば、撮像シーケンスがＭＲＳであり、撮像部位が頭部であったとする。そして、操作者によって、スキャンＲＯＩ、プリサチュレーションＲＯＩ、及びＭＲＳグリッドＲＯＩの３つのＲＯＩが被検体Ｐの画像上に設定されたとする。
【００６１】
ここで、図３に示した例では、撮像シーケンスがＭＲＳであり、撮像部位が頭部である場合には、スキャンＲＯＩの優先順位が最も高く、ＭＲＳグリッドＲＯＩの優先順位が２番目に高く、プリサチュレーションＲＯＩの優先順位が最も低くなるようにＲＯＩ優先情報が設定されている。
【００６２】
したがって、この例の場合には、ＲＯＩ描画部２６ｃは、図６に示すように、スキャンＲＯＩ３５ｓを最も上に描出し、ＭＲＳグリッドＲＯＩ３５ｍを上から２番目に描出し、プリサチュレーションＲＯＩ３５ｐを上から３番目に描出する。
【００６３】
図２の説明にもどって、操作対象ＲＯＩ判定部２６ｄは、入力部２４を介して、表示部２５に表示された被検体Ｐの画像上で任意の位置を指定する操作を操作者から受け付ける。そして、操作対象ＲＯＩ判定部２６ｄは、操作者により指定された位置にあるＲＯＩを操作対象として判定する。
【００６４】
なお、操作対象ＲＯＩ判定部２６ｄは、被検体Ｐの画像上で複数のＲＯＩが重ねて描画された位置を指定する操作を操作者から受け付けた場合には、操作者により指定された撮像シーケンス及び撮像部位に対応するＲＯＩ優先情報に基づいて、複数のＲＯＩのうち優先順位が最も高いＲＯＩを操作対象として判定する。
【００６５】
ここで、図４〜６を再度参照して、操作対象ＲＯＩ判定部２６ｄによるＲＯＩの判定について撮像シーケンス及び撮像部位ごとに例をあげて説明する。なお、ここで説明する例でも、図３に示したＲＯＩ優先情報がＲＯＩ優先情報記憶部２３ｂに記憶されていることとする。
【００６６】
例えば、図４に示すように、撮像シーケンスがグリッドタギングであり、撮像部位が心臓であったとする。そして、操作者によって、スキャンＲＯＩ３３ｓ、プリサチュレーションＲＯＩ３３ｐ、及びグリッドタグＲＯＩ３３ｇの３つのＲＯＩが被検体Ｐの画像上に設定されたとする。この場合には、例えば、図４に示す位置３３ａに３つのＲＯＩが重ねて描出される。
【００６７】
ここで、図３に示した例では、撮像シーケンスがグリッドタギングであり、撮像部位が心臓である場合には、スキャンＲＯＩの優先順位が最も高く、プリサチュレーションＲＯＩの優先順位が２番目に高く、グリッドタグＲＯＩの優先順位が最も低くなるようにＲＯＩ優先情報が設定されている。
【００６８】
したがって、この例の場合には、操作対象ＲＯＩ判定部２６ｄは、例えば位置３３ａが操作者によって指定されたときには、最も優先順位が高いスキャンＲＯＩ３３ｓを操作対象として判定する。
【００６９】
また、例えば、図５に示すように、撮像シーケンスがグリッドタギングであり、撮像部位が心臓であったとする。そして、操作者によって、スキャンＲＯＩ３４ｓ、プリサチュレーションＲＯＩ３４ｐ、及びグリッドタグＲＯＩ３４ｇの３つのＲＯＩが被検体Ｐの画像上に設定されたとする。この場合には、例えば、図５に示す位置３４ａにスキャンＲＯＩ３４ｓ、ラジアルタグＲＯＩ３４ｒ、及びフリーハンドタグＲＯＩ３４ｈが重ねて描出される。また、例えば、図５に示す位置３４ｂにプリサチュレーションＲＯＩ３４ｐ、ラジアルタグＲＯＩ３４ｒ、及びフリーハンドタグＲＯＩ３４ｈが重ねて描出される。
【００７０】
ここで、図３に示した例では、撮像シーケンスがグリッドタギングであり、撮像部位が頭部である場合には、スキャンＲＯＩの優先順位が最も高く、フリーハンドタグＲＯＩの優先順位が２番目に高く、ラジアルタグＲＯＩの優先度が３番目に高く、プリサチュレーションＲＯＩの優先順位が４番目に高く、グリッドタグＲＯＩの優先順位が最も低くなるようにＲＯＩ優先情報が設定されている。
【００７１】
したがって、この例の場合には、操作対象ＲＯＩ判定部２６ｄは、例えば位置３４ａが操作者によって指定されたときには、スキャンＲＯＩ３４ｓ、ラジアルタグＲＯＩ３４ｒ、及びフリーハンドタグＲＯＩ３４ｈの中で最も優先順位が高いスキャンＲＯＩ３４ｓを操作対象として判定する。また、操作対象ＲＯＩ判定部２６ｄは、例えば位置３４ｂが操作者によって指定されたときには、プリサチュレーションＲＯＩ３４ｐ、ラジアルタグＲＯＩ３４ｒ、及びフリーハンドタグＲＯＩ３４ｈの中で最も優先順位が高いラジアルタグＲＯＩ３４ｒを操作対象として判定する。
【００７２】
また、例えば、図６に示すように、撮像シーケンスがＭＲＳであり、撮像部位が頭部であったとする。そして、操作者によって、スキャンＲＯＩ３５ｓ、プリサチュレーションＲＯＩ３５ｐ、及びＭＲＳグリッドＲＯＩ３５ｍの３つのＲＯＩが被検体Ｐの画像上に設定されたとする。この場合には、例えば、図６に示す位置３５ａにスキャンＲＯＩ３５ｓ、プリサチュレーションＲＯＩ３５ｐ、及びＭＲＳグリッドＲＯＩ３５ｍが重ねて描出される。
【００７３】
ここで、図３に示した例では、撮像シーケンスがＭＲＳであり、撮像部位が頭部である場合には、スキャンＲＯＩの優先順位が最も高く、ＭＲＳグリッドＲＯＩの優先順位が２番目に高く、プリサチュレーションＲＯＩの優先順位が最も低くなるようにＲＯＩ優先情報が設定されている。
【００７４】
したがって、この例の場合には、操作対象ＲＯＩ判定部２６ｄは、例えば位置３５ａが操作者によって指定されたときには、スキャンＲＯＩ３５ｓ、プリサチュレーションＲＯＩ３５ｐ、及びＭＲＳグリッドＲＯＩ３５ｍの中で最も優先順位が高いスキャンＲＯＩ３５ｓを操作対象として判定する。
【００７５】
図２の説明にもどって、ＲＯＩ操作実施部２６ｅは、操作対象ＲＯＩ判定部２６ｄによって操作対象として判定されたＲＯＩに対して、操作者から指示された操作を実施する。例えば、ＲＯＩ操作実施部２６ｅは、ＲＯＩを選択する操作や回転する操作、移動する操作、スライス数を変更する操作、ＦＯＶを変更する操作などを実施する。
【００７６】
シーケンス情報生成部２６ｆは、撮像条件記憶部２３ａにより記憶された撮像条件、及びＲＯＩ操作実施部２６ｅにより各種操作が実施されたＲＯＩの情報に基づいて、前述したシーケンス情報を生成する。そして、シーケンス情報生成部２６ｆは、生成したシーケンス情報をシーケンス制御部１０に送信することによって、シーケンス制御部１０にスキャンを実行させる。
【００７７】
次に、本実施例１に係るＭＲＩ装置１００によるＲＯＩ判定の処理手順について説明する。図７は、本実施例１に係るＭＲＩ装置１００によるＲＯＩ判定の処理手順を示すフローチャートである。図７に示すように、本実施例１では、撮像条件の設定を開始する指示を操作者から受け付けた場合に（ステップＳ１０１，Ｙｅｓ）、撮像条件受付部２６ｂが、撮像シーケンス及び撮像部位の選択を受け付ける（ステップＳ１０２）。
【００７８】
そして、撮像条件受付部２６ｂは、選択された撮像シーケンス及び撮像部位に対応するＲＯＩ優先情報を撮像条件記憶部２３ａから読み出し、読み出したＲＯＩ優先情報を内部メモリに保存する（ステップＳ１０３）。続いて、撮像条件受付部２６ｂは、操作者により指定されたＲＯＩ設定用の位置決め画像（被検体Ｐの画像）を記憶部２３から読み出し、読み出した位置決め画像を表示部２５に表示させる（ステップＳ１０４）。
【００７９】
その後、ＲＯＩ描画部２６ｃが、位置決め画像上にＲＯＩを設定する操作を受け付けた場合に（ステップＳ１０５，Ｙｅｓ）、複数のＲＯＩを重ねて描画するときには（ステップＳ１０６，Ｙｅｓ）、内部メモリに保存されているＲＯＩ優先情報に基づいて、優先順位が最も高いＲＯＩを最も上に描画する（ステップＳ１０７）。一方、複数のＲＯＩを重ねて描画しないときには（ステップＳ１０６，Ｎｏ）、ＲＯＩ描画部２６ｃは、操作者により設定されたＲＯＩを位置決め画像上に描画する（ステップＳ１０８）。
【００８０】
続いて、操作対象ＲＯＩ判定部２６ｄが、位置決め画像上で位置を指定する操作を受け付けた場合に（ステップＳ１０９，Ｙｅｓ）、指定された位置に複数のＲＯＩが描画されているときには（ステップＳ１１０，Ｙｅｓ）、内部メモリに保存されているＲＯＩ優先情報に基づいて、優先順位が最も高いＲＯＩを操作対象として判定する（ステップＳ１１１）。一方、指定された位置に複数のＲＯＩが描画されていないときには（ステップＳ１１０，Ｎｏ）、操作対象ＲＯＩ判定部２６ｄは、指定された位置のＲＯＩを操作対象として判定する（ステップＳ１１２）。
【００８１】
その後、ＲＯＩ操作実施部２６ｅが、操作対象ＲＯＩ判定部２６ｄにより操作対象として判定されたＲＯＩに対して、操作者から指示された操作を実施する（ステップＳ１１３）。制御部２６は、撮像条件の設定を終了する指示を操作者から受け付けるまで、ステップＳ１０５〜Ｓ１１３までの処理を繰り返す（ステップＳ１１４，Ｎｏ）。そして、撮像条件の設定を終了する指示を受け付けた場合には（ステップＳ１１４，Ｙｅｓ）、撮像条件の設定に関する処理を終了する。
【００８２】
上述したように、本実施例１では、ＲＯＩ優先情報記憶部２３ｂが、被検体Ｐの画像上に設定される撮像範囲又は撮像位置を示すＲＯＩの種類ごとに操作頻度が高い順に優先順位を定めたＲＯＩ優先情報を記憶する。また、ＲＯＩ描画部２６ｃが、表示部２５に表示された被検体Ｐの画像上にＲＯＩを描画する。また、操作対象ＲＯＩ判定部２６ｄが、被検体Ｐの画像上で複数のＲＯＩが重ねて描画された位置を指定する操作を操作者から受け付けた場合に、ＲＯＩ優先情報記憶部２３ｂにより記憶されたＲＯＩ優先情報に基づいて、複数のＲＯＩのうち優先順位が最も高いＲＯＩを操作対象として判定する。そして、ＲＯＩ操作実施部２６ｅが、操作対象として判定されたＲＯＩに対して操作者から指示された操作を実施する。したがって、本実施例１によれば、操作者の関心度が高いＲＯＩを優先的に操作対象とすることで、操作者が容易にＲＯＩを操作することができる。これにより、検査を効率化することや、検査時間を短縮することができる。
【００８３】
また、本実施例１では、ＲＯＩ描画部２６ｃが、複数のＲＯＩを重ねて描画する場合には、ＲＯＩ優先情報記憶部２３ｂにより記憶されたＲＯＩ優先情報に基づいて、複数のＲＯＩのうち優先順位が最も高いＲＯＩを最も上に描画する。したがって、本実施例１によれば、複数のＲＯＩのうち操作者の関心度が高いＲＯＩが最も上に表示されるので、操作者がより容易にＲＯＩを操作することができるようになる。
【００８４】
また、本実施例１では、ＲＯＩ優先情報記憶部２３ｂが、撮像シーケンスに対応付けてＲＯＩ優先情報を記憶する。また、ＲＯＩ描画部２６ｃが、ＲＯＩ優先情報のうち操作者により指定された撮像シーケンスに対応するＲＯＩ優先情報に基づいて、複数のＲＯＩを描画する。また、操作対象ＲＯＩ判定部２６ｄが、ＲＯＩ優先情報のうち操作者により指定された撮像シーケンスに対応するＲＯＩ優先情報に基づいて、操作対象とするＲＯＩを判定する。したがって、本実施例１によれば、撮像シーケンスに応じてＲＯＩの優先順位を変えることができるので、操作者がより効率よくＲＯＩを操作することができるようになる。
【００８５】
また、本実施例１では、ＲＯＩ優先情報記憶部２３ｂが、撮像部位にさらに対応付けてＲＯＩ優先情報を記憶する。また、ＲＯＩ描画部２６ｃが、ＲＯＩ優先情報のうち操作者により指定された撮像部位に対応するＲＯＩ優先情報に基づいて、複数のＲＯＩを描画する。また、操作対象ＲＯＩ判定部２６ｄが、ＲＯＩ優先情報のうち操作者により指定された撮像部位に対応するＲＯＩ優先情報に基づいて、操作対象とするＲＯＩを判定する。したがって、本実施例１によれば、撮像部位に応じてＲＯＩの優先順位を変えることができるので、操作者がさらに効率よくＲＯＩを操作することができるようになる。
【００８６】
また、本実施例１では、ＲＯＩ優先情報登録部２６ａが、操作者によりＲＯＩごとに指定された優先順位に基づいてＲＯＩ優先情報記憶部２３ｂにＲＯＩ優先情報を登録する。したがって、本実施例１によれば、操作者が自身の好みに合わせてＲＯＩの優先順位を設定することができるので、ＲＯＩの設定手順が操作者ごとに異なるような場合でも、各操作者が容易にＲＯＩを操作することができるようになる。
【００８７】
なお、上記実施例１では、ＲＯＩごとに設定された優先順位に基づいて、ＲＯＩの描画及び操作対象とするＲＯＩの判定を行う場合について説明した。しかしながら、本発明はこれに限られるものではない。
【００８８】
例えば、ＭＲＩ装置は、画像上でＲＯＩが指定された場合に、そのＲＯＩに対する操作を受け付けるための操作部を描出する機能を有する場合もある。ここでいう操作部とは、例えば、ＲＯＩを移動する操作を受け付けるための移動操作部や、ＲＯＩを回転する操作を受け付けるための回転操作部、ＲＯＩに含まれるスライス数を変更する操作を受け付けるためのスライス数操作部などである。これらの操作部は、ＲＯＩの形状によっては重なって描出される場合もある。このような場合には、例えば、操作部ごとに設定された優先順位に基づいて、操作部の描画及び操作対象とする操作部の判定をさらに行うようにしてもよい。
【実施例２】
【００８９】
以下では、実施例２として、ＲＯＩに対する操作を受け付けるための操作部について、優先順位に基づく描画及び操作対象の判定をさらに行う場合について説明する。なお、本実施例２に係るＭＲＩ装置の構成は図１に示したものと同様であり、計算機システムの機能が異なるのみである。そこで、本実施例２では、本実施例２に係る計算機システムについて説明する。
【００９０】
まず、本実施例２に係る計算機システムの構成について説明する。図８は、本実施例２に係る計算機システム１２０の構成を示す機能ブロック図である。なお、ここでは説明の便宜上、図２に示した各機器と同様の役割を果たす機器については、同一の符号を付すこととしてその詳細な説明を省略する。図８に示すように、計算機システム１２０は、実施例１と同様に、インタフェース部２１、記憶部１２３、及び制御部１２６を有する。
【００９１】
記憶部１２３は、撮像条件記憶部２３ａ、ＲＯＩ優先情報記憶部２３ｂ、及び操作部優先情報記憶部１２３ｃを有する。
【００９２】
操作部優先情報記憶部１２３ｃは、被検体Ｐの画像上に描出されたＲＯＩに対する操作を受け付けるための操作部の種類ごとに操作頻度が高い順に優先順位を定めた操作部優先情報をＲＯＩの種類に対応付けて記憶する。図９は、操作部優先情報記憶部１２３ｃにより記憶される操作部優先情報の一例を示す図である。
【００９３】
図９に示すように、操作部優先情報記憶部１２３ｃは、ＲＯＩに対応付けて操作部優先情報を記憶する。
【００９４】
「ＲＯＩ」は、ＲＯＩの種類を示す情報である。例えば、図９に示すように、ＲＯＩには、「Ｓｃａｎ」、「Ｐｒｅｓａｔ」、「Ｆｒｅｅｈａｎｄ  Ｔａｇ」などが設定される。
【００９５】
「操作部優先情報」は、操作部の種類を示す情報とその操作部の優先順位とを対応付けた情報である。図９に示すように、例えば、操作部優先情報には、「１：スライス数操作部」、「２：回転操作部」、「３：移動操作部」などが設定される。
【００９６】
なお、図９において、「移動操作部」は、ＲＯＩを移動する操作を受け付けるための操作部を示している。また、「回転操作部」は、ＲＯＩを回転する操作を受け付けるための操作部を示している。また、「スライス数操作部」は、ＲＯＩに含まれるスライス数を変更する操作を受け付けるための操作部を示している。また、「サイズ操作部」は、ＲＯＩの大きさを変更する操作を受け付けるための操作部を示している。
【００９７】
そして、図９において、例えば、「１：スライス数操作部」は、スライス数操作部の優先順位が１番目に高いことを示している。また、例えば、「２：回転操作部」は、回転操作部の優先順位が２番目に高いことを示している。また、「３：移動操作部」は、移動操作部の優先順位が３番目に高いことを示している。
【００９８】
すなわち、図９に示す例では、例えば、ＲＯＩの種類がスキャンＲＯＩである場合には、スライス数操作部の優先順位が最も高く、回転操作部の優先順位が２番目に高く、移動操作部の優先順位が最も低いことを示している。また、例えば、ＲＯＩの種類がプリサチュレーションＲＯＩである場合には、サイズ操作部の優先順位が最も高く、回転操作部の優先順位が２番目に高く、移動操作部の優先順位が最も低いことを示している。
【００９９】
図８の説明にもどって、制御部１２６は、ＲＯＩ優先情報登録部２６ａ、撮像条件受付部２６ｂ、ＲＯＩ描画部２６ｃ、操作対象ＲＯＩ判定部２６ｄ、操作部描画部１２６ｇ、操作対象操作部判定部１２６ｈ、ＲＯＩ操作実施部１２６ｅ、及びシーケンス情報生成部２６ｆを有する。
【０１００】
操作部描画部１２６ｇは、表示部２５に表示された被検体Ｐの画像上でＲＯＩが描画された位置を指定する操作を操作者から受け付けた場合に、そのＲＯＩに対する操作を受け付けるための操作部を描画する。この操作部描画部１２６ｇは、入力部２４を介して、被検体Ｐの画像上でＲＯＩを指定する操作を操作者から受け付ける。そして、操作部描画部１２６ｇは、操作者により指定されたＲＯＩを操作するためにあらかじめ用意された操作部を、ＲＯＩの形状に応じて操作部ごとに決められた所定の位置に描画する。
【０１０１】
なお、操作部描画部１２６ｇは、ＲＯＩの形状によっては、複数の操作部を重ねて描出せざるを得ない場合もある。そこで、操作部描画部１２６ｇは、複数の操作部を重ねて描画する場合には、操作者により指定されたＲＯＩに対応する操作部優先情報に基づいて、複数の操作部のうち優先順位が最も高い操作部を最も上に描画する。
【０１０２】
図１０は、本実施例２に係る操作部の描画及び操作対象の判定の例を示す図である。なお、ここで説明する例では、図９に示した操作部優先情報が操作部優先情報記憶部１２３ｃに記憶されていることとする。
【０１０３】
例えば、操作者により指定されたＲＯＩがスキャンＲＯＩであったとする。その場合、例えば、操作部描画部１２６ｇは、図１０に示すように、移動操作部３６ｄ、回転操作部３６ｔ、及びスライス数操作部３６ｃをそれぞれスキャンＲＯＩの所定の位置に描出する。
【０１０４】
ここで、図９に示した例では、ＲＯＩの種類がスキャンＲＯＩである場合には、スライス数操作部の優先順位が最も高く、回転操作部の優先順位が２番目に高く、移動操作部の優先順位が最も低くなるように操作部優先情報が設定されている。
【０１０５】
したがって、この例の場合には、操作部描画部１２６ｇは、図１０に示すように、スライス数操作部３６ｃを最も上に描出し、回転操作部３６ｔを上から２番目に描出し、移動操作部３６ｄを最も下に描出する。
【０１０６】
図８の説明にもどって、操作対象操作部判定部１２６ｈは、入力部２４を介して、表示部２５に表示された被検体Ｐの画像上で任意の位置を指定する操作を操作者から受け付ける。そして、操作対象操作部判定部１２６ｈは、操作者により指定された位置にある操作部を操作対象として判定する。
【０１０７】
なお、操作対象操作部判定部１２６ｈは、被検体Ｐの画像上で複数の操作部が重ねて描画された位置を指定する操作を操作者から受け付けた場合には、操作部優先情報記憶部１２３ｃにより記憶された操作部優先情報に基づいて、複数の操作部のうち優先順位が最も高い操作部を操作対象として判定する。
【０１０８】
ここで、図１０を再度参照して、操作対象操作部判定部１２６ｈによる操作部の判定について例をあげて説明する。なお、ここで説明する例でも、図９に示した操作部優先情報が操作部優先情報記憶部１２３ｃ記憶されていることとする。
【０１０９】
例えば、図１０に示すように、操作者により指定されたＲＯＩがスキャンＲＯＩであったとする。そして、操作者によって、移動操作部３６ｄ、回転操作部３６ｔ、及びスライス数操作部３６ｃのうち少なくとも２つが重ねて描出された位置が指定されたとする。
【０１１０】
図９に示した例では、ＲＯＩの種類がスキャンＲＯＩである場合には、スライス数操作部の優先順位が最も高く、回転操作部の優先順位が２番目に高く、移動操作部の優先順位が最も低くなるように操作部優先情報が設定されている。
【０１１１】
したがって、この例の場合には、操作対象操作部判定部１２６ｈは、例えば、移動操作部３６ｄと回転操作部３６ｔとが重ねた描出された位置が指定されたときには、移動操作部３６ｄより優先順位が高い回転操作部３６ｔを操作対象として判定する。また、操作対象操作部判定部１２６ｈは、例えば、移動操作部３６ｄとスライス数操作部３６ｃとが重ねた描出された位置が指定されたときには、移動操作部３６ｄより優先順位が高いスライス数操作部３６ｃを操作対象として判定する。
【０１１２】
ＲＯＩ操作実施部１２６ｅは、操作対象操作部判定部１２６ｈによって操作対象として判定された操作部により受け付けられた操作をＲＯＩに対して実施する。例えば、ＲＯＩ操作実施部２６ｅは、移動操作部により受け付けられた操作に基づいてＲＯＩを移動する。また、例えば、ＲＯＩ操作実施部２６ｅは、回転操作部により受け付けられた操作に基づいてＲＯＩを回転する。
【０１１３】
上述したように、本実施例２では、操作部優先情報記憶部１２３ｃが、被検体Ｐの画像上に描出されたＲＯＩに対する操作を受け付けるための操作部の種類ごとに操作頻度が高い順に優先順位を定めた操作部優先情報をＲＯＩの種類に対応付けて記憶する。また、操作部描画部１２６ｇが、被検体Ｐの画像上でＲＯＩが描画された位置を指定する操作を操作者から受け付けた場合に、そのＲＯＩに対する操作を受け付けるための操作部を描画する。また、操作対象操作部判定部１２６ｈが、被検体Ｐの画像上で複数の操作部が重ねて描画された位置を指定する操作を操作者から受け付けた場合に、操作部優先情報記憶部１２３ｃにより記憶された操作部優先情報に基づいて、複数の操作部のうち優先順位が最も高い操作部を操作対象として判定する。そして、ＲＯＩ操作実施部１２６ｅが、操作対象として判定された操作部により受け付けられた操作をＲＯＩに対して実施する。したがって、本実施例２によれば、操作者によって使用される可能性が最も高い操作部が優先的に操作対象として判定されるので、操作者がより効率よくＲＯＩを操作することができるようになる。
【０１１４】
なお、上記実施例では、ＲＯＩごとに優先順位が設定される場合について説明した。しかしながら、本発明はこれに限られるものではない。例えば、操作者によって被検体Ｐの画像上にＲＯＩが設定される際に、同じ種類のＲＯＩが複数設定される場合もある。その場合には、例えば、同じ種類のＲＯＩの中でも優先順位を設定するようにしてもよい。
【０１１５】
この場合には、例えば、ＲＯＩ優先情報記憶部２３ｂは、同じ種類のＲＯＩごとに優先順位をさらに定めたＲＯＩ優先情報を記憶する。図１１は、同じ種類のＲＯＩの中で優先順位を設定する場合のＲＯＩ優先情報の一例を示す図である。
【０１１６】
図１１に示すように、ＲＯＩ優先情報記憶部２３ｂは、例えば、同じ種類のＲＯＩごとに２つの状態についてさらに優先順位を設定したＲＯＩ優先情報を記憶する。図１１において、「Ｓｅｌｅｃｔｅｄ」は、操作者によって選択された状態を示している。また、「Ｕｎｓｅｌｅｃｔｅｄ」は、操作者によって選択されていない状態を示している。例えば、操作者によって複数のＲＯＩが被検体Ｐの画像上に設定された場合には、最後の設定されたＲＯＩのみが、選択された状態すなわち「Ｓｅｌｅｃｔｅｄ」の状態となる。
【０１１７】
なお、図１１において、「１：Ｓｅｌｅｃｔｅｄ」は、選択された状態にあるＲＯＩの優先順位が１番目に高いことを示している。また、例えば、「２：Ｕｎｓｅｌｅｃｔｅｄ」は、選択された状態にあるＲＯＩの優先順位が２番目に高いことを示している。
【０１１８】
そして、この場合には、例えば、操作対象ＲＯＩ判定部２６ｄは、被検体Ｐの画像上で同じ種類の複数のＲＯＩが重ねて描画された位置を指定する操作を操作者から受け付けた場合には、ＲＯＩ優先情報記憶部２３ｂにより記憶されたＲＯＩ優先情報に基づいて、複数のＲＯＩのうち優先順位が最も高いＲＯＩを操作対象として判定する。
【０１１９】
ここで、操作対象ＲＯＩ判定部２６ｄによるＲＯＩの判定について例をあげて説明する。図１２は、同じ種類のＲＯＩの中で優先順位を設定する場合のＲＯＩの判定の例を示す図である。なお、ここで説明する例では、図１１に示したＲＯＩ優先情報がＲＯＩ優先情報記憶部２３ｂに記憶されていることとする。
【０１２０】
例えば、撮像シーケンスがグリッドタギングであり、撮像部位が心臓であったとする。そして、操作者によって、２つのスキャンＲＯＩ３７ｓ及び３８ｓ、プリサチュレーションＲＯＩ３７ｐ、及びグリッドタグＲＯＩ３７ｇの４つのＲＯＩが被検体Ｐの画像上に設定されたとする。この場合には、例えば、図１２に示す位置３８ａに２つのスキャンＲＯＩが重ねて描出される。なお、ここでは、スキャンＲＯＩ３７ｓ、スキャンＲＯＩ３８ｓの順で各ＲＯＩが設定されたこととし、スキャンＲＯＩ３８ｓが選択された状態であったとする。
【０１２１】
ここで、図１１に示した例では、撮像シーケンスがグリッドタギングであり、撮像部位が心臓である場合には、スキャンＲＯＩについては、選択された状態の優先順位が高く、選択されていない状態の優先順位が低くなるようにＲＯＩ優先情報が設定されている。したがって、この例の場合には、操作対象ＲＯＩ判定部２６ｄは、例えば位置３８ａが操作者によって指定されたときには、選択された状態にあるスキャンＲＯＩ３８ｓを操作対象として判定する。
【０１２２】
このように、ＲＯＩ優先情報記憶部２３ｂが、同じ種類のＲＯＩごとに優先順位をさらに定めたＲＯＩ優先情報を記憶する。また、操作対象ＲＯＩ判定部２６ｄが、被検体Ｐの画像上で同じ種類の複数のＲＯＩが重ねて描画された位置を指定する操作を操作者から受け付けた場合には、ＲＯＩ優先情報記憶部２３ｂにより記憶されたＲＯＩ優先情報に基づいて、複数のＲＯＩのうち優先順位が最も高いＲＯＩを操作対象として判定する。これにより、同じ種類のＲＯＩが複数設定される場合でも、操作者がそれぞれのＲＯＩを容易に操作することができるようになる。
【０１２３】
また、例えば、操作者を識別する操作者ＩＤなどの操作者情報に基づいて、ＲＯＩの優先順位が変わるようにしてもよい。この場合には、例えば、ＲＯＩ優先情報記憶部２３ｂが、操作者を識別する操作者情報にさらに対応付けて優先順位情報を記憶する。また、ＲＯＩ描画部２６ｃが、ＲＯＩ優先情報のうち、被検体Ｐの画像上で位置を指定する操作を行った操作者の操作者情報に対応する優先順位情報に基づいて、複数のＲＯＩを描画する。また、操作対象ＲＯＩ判定部２６ｄが、ＲＯＩ優先情報のうち、被検体Ｐの画像上で位置を指定する操作を行った操作者の操作者情報に対応するＲＯＩ優先情報に基づいて、操作対象とするＲＯＩを判定する。これにより、操作者ごとにＲＯＩの優先順位を自動的に切り替えることが可能になるので、各操作者がさらに効率よくＲＯＩを操作することができるようになる。
【符号の説明】
【０１２４】
１００    ＭＲＩ装置
２０    計算機システム
２３    記憶部
２３ｂ    ＲＯＩ優先情報記憶部
２６    制御部
２６ｃ    ＲＯＩ描画部
２６ｄ    操作対象ＲＯＩ判定部
２６ｅ    ＲＯＩ操作実施部
【図１】
0005433445.tif 000002
【図２】
0005433445.tif 000003
【図３】
0005433445.tif 000004
【図４】
0005433445.tif 000005
【図５】
0005433445.tif 000006
【図６】
0005433445.tif 000007
【図７】
0005433445.tif 000008
【図８】
0005433445.tif 000009
【図９】
0005433445.tif 000010
【図１０】
0005433445.tif 000011
【図１１】
0005433445.tif 000012
【図１２】
0005433445.tif 000013
【図１３】
0005433445.tif 000014